【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
ダイバシティ受信機であって、
地上ブロードキャスト受信機を含む第１受信機サブシステムと、
第１リンク手段を通じて前記第１受信機サブシステムに結合された共通プロセッサ・プラットフォーム（ＣＰＰ）であって、前記第１受信機サブシステムが、安定な時間基準および位置情報を前記第１リンク手段を通じて前記ＣＰＰに供給する、共通プロセッサ・プラットフォームと、
前記ダイバシティ受信機をワイヤレス位置検出システム（ＷＬＳ）のセンサ・プラットフォームに結合し、時間および周波数基準ならびに位置データを前記センサ・プラットフォームに供給する第２リンク手段と、
第３リンク手段を通じて、動作可能なように前記ＣＰＰに結合されたＧＮＳＳ受信機を含む第２受信機サブシステムと、
動作可能なように前記ＣＰＰに結合された基準発振器とを含み、前記ＣＰＰは前記基準発振器を統制するように構成されており、前記基準発振器は安定な周波数基準を前記ＣＰＰに供給するように構成されており、
前記第２リンク手段を通じて供給される前記時間および周波数基準は、前記センサ・プラットフォームを前記ＷＬＳの他のセンサ・プラットフォームと同期させるように使用可能である、
ダイバシティ受信機。
【請求項２】
請求項１記載のダイバシティ受信機において、前記地上ブロードキャスト受信機が、ＨＤＴＶ受信機を含む、ダイバシティ受信機。
【請求項３】
請求項１記載のダイバシティ受信機において、前記地上ブロードキャスト受信機が、ブロードキャスト元位置、チャネル割り当て、ならびにタイミング特性およびパラメータを含む補助情報を伝達する補助信号を受信するアンテナを含む、ダイバシティ受信機。
【請求項４】
請求項１記載のダイバシティ受信機において、前記地上ブロードキャスト受信機が、ブロードキャスト元位置、チャネル割り当て、ならびにタイミング特性およびパラメータを含む補助情報を受信する補助情報インターフェースを含む、ダイバシティ受信機。
【請求項５】
請求項４記載のダイバシティ受信機において、前記補助情報インターフェースが、前記地上ブロードキャスト受信機を陸側補助のサーバまたはネットワークに結合するように構成された、ダイバシティ受信機。
【請求項６】
請求項１記載のダイバシティ受信機であって、前記第２受信機サブシステムが、第２の安定な時間基準および位置情報を前記ＣＰＰに、前記第３リンク手段を通じて供給する、ダイバシティ受信機。
【請求項７】
請求項１記載のダイバシティ受信機において、前記ＧＮＳＳ受信機が、ＧＮＳＳ補助信号受信のために補助情報インターフェースを含み、前記補助信号が、衛星コンステレーション軌道情報、ならびにクロック・ドリフト、大気信号遅延、および電離層遅延を補正するために用いられる他の情報を伝達することによって、ＧＮＳＳ受信機の位置推定ならびに前記時間および周波数基準の精度を高めることができる、ダイバシティ受信機。
【請求項８】
請求項６記載のダイバシティ受信機において、前記ＧＮＳＳ受信機が、補助情報を陸側補助のサーバまたはネットワークから受信する補助情報インターフェースを含む、ダイバシティ受信機。
【請求項９】
請求項７または８記載のダイバシティ受信機において、前記ＧＮＳＳ受信機が、ＧＮＳＳ信号が入手できない場合、時間および周波数基準が供給される静止タイミング・モードで動作するように構成された、ダイバシティ受信機。
【請求項１０】
請求項１記載のダイバシティ受信機において、前記ＣＰＰが、修復時間、信号品質、または操作者の好みに基づいて、主および副受信機サブシステムを指定するように構成された、ダイバシティ受信機。
【請求項１１】
請求項１記載のダイバシティ受信機であって、前記ＣＰＰが、安定な時間信号を前記受信機サブシステムから受信するため、更に前記時間信号の内少なくとも１つを用いて前記基準発振器を統制するために、前記第１および第３リンク手段を通じて前記第１および第２受信機サブシステムと通信するように構成された、ダイバシティ受信機。
【請求項１２】
請求項１１記載のダイバシティ受信機において、前記ＣＰＰが、更に、前記センサ・プラットフォームに供給されるべき最適化された時間基準、周波数基準、およびタイムスタンプを形成するために、前記第１および第２受信機サブシステムから１つを選択するか、あるいは、前記受信機サブシステムによって供給された情報を混成化するように構成された、ダイバシティ受信機。
【請求項１３】
位置検出センサのネットワークを含むワイヤレス位置検出システム（ＷＬＳ）において用いるための第１位置検出センサであって、
ＨＤＴＶ受信機を含む第１受信機サブシステムと、
第１リンク手段を通じて前記第１受信機サブシステムに結合された共通プロセッサ・プラットフォーム（ＣＰＰ）であって、前記第１受信機サブシステムが、安定な時間基準および位置情報を前記ＣＰＰに前記第１リンク手段を通じて供給する、共通プロセッサ・プラットフォームと、
前記第１位置検出センサをセンサ・プラットフォームに結合し、時間および周波数基準ならびに位置データを前記センサ・プラットフォームに供給する第２リンク手段と、
第３リンク手段を通じて、動作可能なように前記ＣＰＰに結合されたＧＮＳＳ受信機を含む第２受信機サブシステムであって、第２の安定な時間基準および位置情報を前記ＣＰＰに、前記第３リンク手段を通じて供給する、第２受信機サブシステムと、
動作可能なように前記ＣＰＰに結合された基準発振器と、
を含み、
前記ＣＰＰが、安定な時間信号を前記受信機サブシステムから受信するため、更に前記時間信号の内少なくとも１つを用いて前記基準発振器を統制するために、前記第１および第３リンク手段を通じて前記第１および第２受信機サブシステムと通信するように構成されており、前記基準発振器が安定な周波数基準を前記ＣＰＰに供給する、第１位置検出センサ。
【請求項１４】
請求項１３記載の第１位置検出センサにおいて、前記ＨＤＴＶ受信機が、ブロードキャスト元位置、チャネル割り当て、ならびにタイミング特性およびパラメータを含む補助情報を伝達する補助信号を受信するアンテナを含む、第１位置検出センサ。
【請求項１５】
請求項１３記載の第１位置検出センサにおいて、前記ＨＤＴＶ受信機が、ブロードキャスト元位置、チャネル割り当て、ならびにタイミング特性およびパラメータを含む補助情報を受信する補助情報インターフェースを含む、第１位置検出センサ。
【請求項１６】
請求項１５記載の第１位置検出センサにおいて、前記補助情報インターフェースが、前記ＨＤＴＶ受信機を陸側補助のサーバまたはネットワークに結合するように構成された、第１位置検出センサ。
【請求項１７】
請求項１３記載の第１位置検出センサにおいて、前記ＧＮＳＳ受信機が、ＧＮＳＳ補助信号受信のために補助情報インターフェースを含み、前記補助信号が、衛星コンステレーション軌道情報、ならびにクロック・ドリフト、大気信号遅延、および電離層遅延を補正するために用いられる他の情報を伝達することによって、ＧＮＳＳ受信機の位置推定ならびに前記時間および周波数基準の精度を高めることができる、第１位置検出センサ。
【請求項１８】
請求項１３記載の第１位置検出センサにおいて、前記ＧＮＳＳ受信機が、補助情報を陸側補助のサーバまたはネットワークから受信する補助情報インターフェースを含む、第１位置検出センサ。
【請求項１９】
請求項１７または１８記載の第１位置検出センサにおいて、前記ＧＮＳＳ受信機が、ＧＮＳＳ信号が入手できない場合、時間および周波数基準が供給される静止タイミング・モードで動作するように構成された、第１位置検出センサ。
【請求項２０】
請求項１３記載の第１位置検出センサにおいて、前記ＣＰＰが、修復時間、信号品質、または操作者の好みに基づいて、主および副受信機サブシステムを指定するように構成された、第１位置検出センサ。
【請求項２１】
請求項１３記載の第１位置検出センサにおいて、前記ＣＰＰが、更に、前記センサ・プラットフォームに供給されるべき最適化された時間基準、周波数基準、およびタイムスタンプを形成するために、前記第１および第２受信機サブシステムから１つを選択するか、または前記受信機サブシステムによって供給された情報を混成化するように構成された、第１位置検出センサ。